(57)【特許請求の範囲】
【請求項１】
複数のショップのそれぞれが設定した販売価格で、同じ商品を販売可能な電子市場を管理するサーバ装置であって、
前記商品を指定する要求をショッパーから受け付ける受付部と、
前記要求に指定された商品を他のショッパーが過去に購入した購入価格を取得する取得部と、
前記取得された過去の購入価格の分布と、前記複数のショップのそれぞれが設定している現在の販売価格の分布と、を対比して表す対比情報を指定する応答を提供する提供部と、
を備えることを特徴とするサーバ装置。
【請求項２】
前記受付部が受け付ける要求は、前記商品を販売するために前記複数のショップのそれぞれが作成した販売ページを、前記ショッパーが端末装置から閲覧しようとすると、当該端末装置から送信され、
前記提供部は、前記販売ページ内に前記対比情報を埋め込み、前記端末装置へ当該販売ページを提供する
ことを特徴とする請求項１に記載のサーバ装置。
【請求項３】
前記対比情報において、前記ショッパーが閲覧しようとする前記販売ページを作成したショップが販売する前記商品の販売価格を強調する
ことを特徴とする請求項２に記載のサーバ装置。
【請求項４】
前記取得部は、前記要求に指定された商品を前記他のショッパーが過去に購入した購入日時をさらに取得し、
前記提供部は、前記端末装置が前記対比情報を表示する際に、前記購入日時の範囲を設定することにより、前記過去の購入価格の分布に含める購入価格を選択可能な対比情報を前記販売ページに埋め込む
ことを特徴とする請求項２に記載のサーバ装置。
【請求項５】
前記提供部は、前記現在の販売価格の分布、及び、前記過去の購入価格の分布を、それぞれヒストグラムで表す
ことを特徴とする請求項１に記載のサーバ装置。
【請求項６】
前記提供部は、前記過去の購入価格の分布を、前記他のショッパーが購入した順にヒストグラムの度数を一つずつ増加させて表す
ことを特徴とする請求項５に記載のサーバ装置。
【請求項７】
複数のショップのそれぞれが設定した販売価格で、同じ商品を販売可能な電子市場を管理するサーバ装置が実行する制御方法であって、
前記サーバ装置が、前記商品を指定する要求をショッパーから受け付ける受付工程と、
前記サーバ装置が、前記要求に指定された商品を他のショッパーが過去に購入した購入価格を取得する取得工程と、
前記サーバ装置が、前記取得された過去の購入価格の分布と、前記複数のショップのそれぞれが設定している現在の販売価格の分布と、を対比して表す対比情報を指定する応答を提供する提供工程と、
を備えることを特徴とする制御方法。
【請求項８】
コンピュータを、複数のショップのそれぞれが設定した販売価格で、同じ商品を販売可能な電子市場を管理するサーバ装置として機能させるプログラムであって、
前記プログラムは、前記コンピュータを、
前記商品を指定する要求をショッパーから受け付ける受付部、
前記要求に指定された商品を他のショッパーが過去に購入した購入価格を取得する取得部、
前記取得された過去の購入価格の分布と、前記複数のショップのそれぞれが設定している現在の販売価格の分布と、を対比して表す対比情報を指定する応答を提供する提供部、
として機能させることを特徴とするプログラム。
【請求項９】
コンピュータを、複数のショップのそれぞれが設定した販売価格で、同じ商品を販売可能な電子市場を管理するサーバ装置として機能させるプログラムであって、
前記プログラムは、前記コンピュータを、
前記商品を指定する要求をショッパーから受け付ける受付部、
前記要求に指定された商品を他のショッパーが過去に購入した購入価格を取得する取得部、
前記取得された過去の購入価格の分布と、前記複数のショップのそれぞれが設定している現在の販売価格の分布と、を対比して表す対比情報を指定する応答を提供する提供部、
として機能させることを特徴とするプログラムを記録した非一時的なコンピュータ読取可能な記録媒体。
【発明の詳細な説明】
【技術分野】
【０００１】
本発明は、サーバ装置、制御方法、プログラム、及び、記録媒体に関し、特に、販売価格に関する情報の提供に関する。
【背景技術】
【０００２】
販売者が商品を販売する際に、自己の販売価格と共に、自己の販売価格よりも高い他の価格（以下「比較対照価格」という）を表示する二重価格表示という表示形態が知られている。二重価格表示は、その内容が適正であれば、ショッパーにとって有益な情報を提供することになるが、比較対照価格が、かなり過去に設定された価格であったり、全く商品が売れていない店舗での価格であったりすると、販売価格が本当に安いのかどうか、正確に判断することができないという問題がある。このような販売価格の表示に関する問題に対し、販売価格と共に仕入れ価格を顧客に提示することにより、購入判断に有益な情報を提供しようという試みがある（特許文献１）。
【先行技術文献】
【特許文献】
【０００３】
【特許文献１】特開２００２−５６２９１号公報
【発明の概要】
【発明が解決しようとする課題】
【０００４】
しかしながら、仕入れ価格は、販売価格より低いのは当然であるし、その価格でショッパーが購入することができる価格ではないので、仕入れ価格が提示されたとしても、販売価格の相場を知ることはできない。また、販売者にとっては、仕入れ価格を公表したくないという要望もある。【０００５】
本発明は、上記のような課題を解決するもので、販売価格の相場を示すのに好適なサーバ装置、制御方法、プログラム、及び、記録媒体を提供することを目的とする。
【課題を解決するための手段】
【０００６】
本発明の第１の観点に係るサーバ装置は、
複数のショップのそれぞれが設定した販売価格で、同じ商品を販売可能な電子市場を管理するサーバ装置であって、
前記商品を指定する要求をショッパーから受け付ける受付部と、
前記要求に指定された商品を他のショッパーが過去に購入した購入価格を取得する取得部と、
前記取得された過去の購入価格の分布と、前記複数のショップのそれぞれが設定している現在の販売価格の分布と、を対比して表す対比情報を指定する応答を提供する提供部と、
を備えることを特徴とする。【０００７】
また、上記サーバ装置において、
前記受付部が受け付ける要求は、前記商品を販売するために前記複数のショップのそれぞれが作成した販売ページを、前記ショッパーが端末装置から閲覧しようとすると、当該端末装置から送信され、
前記提供部は、前記販売ページ内に前記対比情報を埋め込み、前記端末装置へ当該販売ページを提供する
ことを特徴とする。【０００８】
また、上記サーバ装置において、
前記対比情報において、前記ショッパーが閲覧しようとする前記販売ページを作成したショップが販売する前記商品の販売価格を強調する
ことを特徴とする。【０００９】
また、上記サーバ装置において、
前記取得部は、前記要求に指定された商品を前記他のショッパーが過去に購入した購入日時をさらに取得し、
前記提供部は、前記端末装置が前記対比情報を表示する際に、前記購入日時の範囲を設定することにより、前記過去の購入価格の分布に含める購入価格を選択可能な対比情報を前記販売ページに埋め込む
ことを特徴とする。【００１０】
また、上記サーバ装置において、
前記提供部は、前記現在の販売価格の分布、及び、前記過去の購入価格の分布を、それぞれヒストグラムで表す
ことを特徴とする。【００１１】
また、上記サーバ装置において、
前記提供部は、前記過去の購入価格の分布を、前記他のショッパーが購入した順にヒストグラムの度数を一つずつ増加させて表す
ことを特徴とする。【００１２】
本発明の第２の観点に係る制御方法は、
複数のショップのそれぞれが設定した販売価格で、同じ商品を販売可能な電子市場を管理するサーバ装置が実行する制御方法であって、
前記サーバ装置が、前記商品を指定する要求をショッパーから受け付ける受付工程と、
前記サーバ装置が、前記要求に指定された商品を他のショッパーが過去に購入した購入価格を取得する取得工程と、
前記サーバ装置が、前記取得された過去の購入価格の分布と、前記複数のショップのそれぞれが設定している現在の販売価格の分布と、を対比して表す対比情報を指定する応答を提供する提供工程と、
を備えることを特徴とする。【００１３】
本発明の第３の観点に係るプログラムは、
コンピュータを、複数のショップのそれぞれが設定した販売価格で、同じ商品を販売可能な電子市場を管理するサーバ装置として機能させるプログラムであって、
前記プログラムは、前記コンピュータを、
前記商品を指定する要求をショッパーから受け付ける受付部、
前記要求に指定された商品を他のショッパーが過去に購入した購入価格を取得する取得部、
前記取得された過去の購入価格の分布と、前記複数のショップのそれぞれが設定している現在の販売価格の分布と、を対比して表す対比情報を指定する応答を提供する提供部、
として機能させることを特徴とする。【００１４】
本発明の第４の観点に係る、非一時的なコンピュータ読取可能な記録媒体は、
コンピュータを、複数のショップのそれぞれが設定した販売価格で、同じ商品を販売可能な電子市場を管理するサーバ装置として機能させるプログラムであって、
前記プログラムは、前記コンピュータを、
前記商品を指定する要求をショッパーから受け付ける受付部、
前記要求に指定された商品を他のショッパーが過去に購入した購入価格を取得する取得部、
前記取得された過去の購入価格の分布と、前記複数のショップのそれぞれが設定している現在の販売価格の分布と、を対比して表す対比情報を指定する応答を提供する提供部、
として機能させることを特徴とするプログラムを記録する。【００１５】
なお、上記記録媒体は、コンピュータとは独立して配布・販売することができる。ここで、非一時的な（non-transitory）記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１６】
本発明によれば、販売価格の相場を示すのに好適なサーバ装置、制御方法、プログラム、及び、記録媒体を提供することができる。
【図面の簡単な説明】
【００１７】
【図１】本発明の実施形態に係るサーバ装置とショッパー端末とショップ端末との関係を示す図である。
【図２】本発明の実施形態に係るサーバ装置が実現される典型的な情報処理装置の物理的構成を示す図である。
【図３】実施形態に係るサーバ装置の機能構成を示す図である。
【図４】商品の検索結果を示すページを説明するための図である。
【図５】購入履歴テーブルを説明するための図である。
【図６】販売価格テーブルを説明するための図である。
【図７】現在の販売価格の分布を説明するための図である。
【図８】過去の購入価格の分布を説明するための図である。
【図９】販売ページに埋め込まれた対比情報を説明するための図である。
【図１０】過去の購入価格の分布がアニメーション表示される様子を説明するための図である。
【図１１】購入日時の範囲の設定を説明するための図である。
【図１２】設定された購入日時の範囲に含まれる購入価格の分布を説明するための図である。
【図１３】実施形態に係るサーバ装置が行う制御処理を説明するためのフローチャートである。
【発明を実施するための形態】
【００１８】
（１．全体構成）
本発明の実施形態に係るサーバ装置１００は、図１に示すように、インターネット４００に接続される。インターネット４００には、サーバ装置１００の他に、ショッパー端末２０１、２０２〜２０ｍ（以下、これらを総称して「ショッパー端末２００」という）と、ショップ端末３０１、３０２〜３０ｎ（以下、これらを総称して「ショップ端末３００」という）と、が接続されている。
【００１９】
サーバ装置１００は、インターネット上で商品やサービスの売買が行われる電子市場を管理する装置である。
【００２０】
ショッパー端末２００は、電子市場において販売される商品の閲覧・購入を行うショッパーが使用する端末である。
【００２１】
ショップ端末３００は、電子市場において商品を販売するショップ（販売者）において使用される端末である。
【００２２】
（２．情報処理装置の物理的構成）
本発明の実施形態に係るサーバ装置１００が実現される典型的な情報処理装置６００の物理的構成について説明する。
【００２３】
情報処理装置６００は、図２に示すように、ＣＰＵ（Central Processing Unit）６０１と、ＲＯＭ（Read Only Memory）６０２と、ＲＡＭ（Random Access Memory）６０３と、記憶装置６０４と、ＮＩＣ（Network Interface Card）６０５と、画像処理部６０６と、音声処理部６０７と、ディスプレイ６０８と、スピーカ６０９と、コントローラ６１０と、を備える。
【００２４】
ＣＰＵ  ６０１は、情報処理装置６００全体の動作を制御し、各構成要素と接続され、制御信号やデータをやりとりする。
【００２５】
ＲＯＭ  ６０２には、情報処理装置６００全体の動作制御に必要なオペレーティングシステムのプログラムや各種のデータが記録される。
【００２６】
ＲＡＭ  ６０３は、データやプログラムを一時的に記憶するためのもので、記憶装置６０４から読み出したプログラムやデータ、その他、通信に必要なデータ等が保持される。
【００２７】
記憶装置６０４は、ハードディスクやフラッシュメモリ等、から構成され、情報処理装置６００で処理するデータを記憶する。また、記憶装置６０４は、ＣＤ（Compact Disc）等の記録媒体からデータを読み出すデバイス等を備えるように構成されてもよい。また、記憶装置６０４は、省略されてもよい。
【００２８】
ＮＩＣ  ６０５は、情報処理装置６００をインターネット等のコンピュータ通信網に接続するためのものであり、ＮＩＣ  ６０５を介して他の情報処理装置等とやりとりをする。
【００２９】
画像処理部６０６は、記憶装置等から読み出されたデータをＣＰＵ  ６０１や画像処理部６０６が備える画像演算プロセッサによって加工処理し、画像処理部６０６が備えるフレームメモリに記録する。フレームメモリに記録された画像情報は、所定の同期タイミングでビデオ信号に変換され、ディスプレイ６０８に出力される。
【００３０】
音声処理部６０７は、記憶装置等から読み出されたデータをアナログ音声信号に変換し、スピーカ６０９から出力させる。
【００３１】
コントローラ６１０は、ユーザからの指示入力を受け付ける。コントローラ６１０は、例えば、キーボードや、タッチパネル等である。
【００３２】
以下、上記情報処理装置６００において実現されるサーバ装置１００について、図１乃至図１３を参照して説明する。情報処理装置６００に電源が投入されると、実施形態に係るサーバ装置１００として機能させるプログラムが実行され、実施形態に係るサーバ装置１００が実現される。
【００３３】
（３．実施形態のサーバ装置の機能構成）
サーバ装置１００は、複数のショップのそれぞれが設定した販売価格で、同じ商品を販売可能な電子市場を管理する。
【００３４】
サーバ装置１００は、図３に示すように、受付部１０１と、取得部１０２と、提供部１０３と、から構成される。
【００３５】
本実施形態において、ＣＰＵ  ６０１及びＮＩＣ  ６０５が協働して、受付部１０１及び提供部１０３として機能し、ＣＰＵ  ６０１が、取得部１０２として機能する。
【００３６】
受付部１０１は、商品を指定する要求をショッパーから受け付ける。
【００３７】
例えば、ショッパーＸが商品Ａの情報を閲覧するために、ショッパーＸが使用するショッパー端末２００から、サーバ装置１００に商品Ａが指定された閲覧要求を送信すると、受付部１０１は、当該閲覧要求を受け付ける。
【００３８】
ここで、受付部１０１が受け付ける要求は、商品を販売するために複数のショップのそれぞれが作成した販売ページを、ショッパーが端末装置から閲覧しようとすると、当該端末装置から送信されてもよい。
【００３９】
例えば、ショッパーＸが電子市場で扱われている商品Ａを検索すると、図４に示す検索結果５１０が得られるとする。検索結果５１０に含まれる項目５０１〜５０４のそれぞれは、複数のショップが作成した商品Ａの販売ページに対応付けられている。項目が選択されると、選択された項目に対応付けられた販売ページに遷移する。例えば、ショッパーＸが自身のショッパー端末２００において、項目５０１〜５０４のいずれかを選択すると、ショッパーＸのショッパー端末２００から、閲覧のための要求が送信される。
【００４０】
取得部１０２は、要求に指定された商品を他のショッパーが過去に購入した購入価格を取得する。
【００４１】
例えば、取得部１０２は、電子市場で扱われる商品をショッパーが購入した履歴が記録された購入履歴ＤＢ  ７０１を参照して、他のショッパーにより購入された商品のそれぞれについて、当該商品の購入価格を取得する。
【００４２】
例えば、購入履歴ＤＢ  ７０１には、図５に示すような、購入履歴テーブル７０１ａが格納されている。
【００４３】
購入履歴テーブル７０１ａには、電子市場において購入された商品の商品ＩＤ  ７０１ａ１と、当該商品を購入したショッパーのショッパーＩＤ  ７０１ａ２と、当該ショッパーが購入した時の購入価格７０１ａ３と、当該ショッパーが商品を購入した購入日時７０１ａ４と、が対応付けて登録されている。
【００４４】
例えば、図５の購入履歴テーブル７０１ａの１行目は、商品ＩＤ“Ａ”の商品（以下、「商品Ａ」）を、ショッパーＩＤ“Ｗ”のショッパー（以下、「ショッパーＷ」）が、“４９８０円”で“２０１４年９月１日の１０時”に購入したことを示す。
【００４５】
例えば、受付部１０１がショッパーＸから商品Ａが指定された要求を受け付けると、取得部１０２は、図５の購入履歴テーブル７０１ａを参照して、ショッパーＸ以外のショッパー（ショッパーＷ等）が商品Ａを購入したときの購入金額を取得する。
【００４６】
提供部１０３は、取得された過去の購入価格の分布と、複数のショップのそれぞれが設定している現在の販売価格の分布と、を対比して表す対比情報を指定する応答を提供する。
【００４７】
例えば、提供部１０３は、取得部１０２が取得したショッパーＸ以外のショッパーの購入価格に基づいて、商品Ａの購入価格の分布を求める。
【００４８】
また、提供部１０３は、電子市場において販売されている商品の現在の販売価格の情報が記録された販売価格ＤＢ  ７０２を参照して、現在の販売価格の分布を求める。
【００４９】
例えば、販売履歴ＤＢ  ７０２には、図６に示すような、販売価格テーブル７０２ａが格納されている。
【００５０】
販売価格テーブル７０２ａには、電子市場において販売されている商品の商品ＩＤ  ７０２ａ１と、当該商品を販売しているショップのショップＩＤ  ７０２ａ２と、当該ショップが販売している現在の販売価格７０２ａ３と、が対応付けて登録されている。
【００５１】
例えば、図６の販売価格テーブル７０２ａの１行目は、商品ＩＤ“Ａ”の商品を、ショップＩＤ“ａ”のショップ（以下、「ショップａ」）が、“４５００円”で販売していることを示す。
【００５２】
ここで、提供部１０３は、現在の販売価格の分布、及び、過去の購入価格の分布を、それぞれヒストグラムで表す。
【００５３】
例えば、提供部１０３は、商品Ａの現在の販売価格について、横軸を販売価格の階級、縦軸を度数とする図７のヒストグラムを生成する。
【００５４】
図７のヒストグラムには、４４００円から５４００円まで、１００円の刻み幅の階級が含まれるとする。これは、現在、電子市場において、商品Ａが、複数のショップにより、４４００から５４００円までの販売価格で販売されていることを示す。また、図７のヒストグラムは、現在、電子市場において、商品Ａが４９００円から４９９９円の価格帯で最も多く販売されていることを示す。
【００５５】
また、提供部１０３は、過去に商品ＡがショッパーＸ以外により購入された際の購入価格について、横軸を購入価格の階級、縦軸を度数とする図８のヒストグラムを生成する。
【００５６】
図８のヒストグラムには、３６００円から５６００円まで、１００円の刻み幅の階級が含まれるとする。これは、電子市場において、商品Ａが、ショッパーＸ以外のショッパーにより、３６００から５６００円までの価格で購入されたことを示す。また、図８のヒストグラムは、過去に、電子市場において、ショッパーＸ以外により商品Ａが４９００円から４９９９円の価格帯で最も多く購入されたことを示す。
【００５７】
提供部１０３は、図７の販売価格の分布と、図８の購入価格の分布と、を対比して対比情報とする。
【００５８】
そして、提供部１０３は、販売ページ内に対比情報を埋め込み、端末装置へ当該販売ページを提供する。
【００５９】
例えば、ショッパーＸにより、図４の検索結果５１０において項目５０３が選択され、ショッパー端末２００からサーバ装置１００に、ショップｃが販売する商品Ａの販売ページの閲覧要求が送信されたとする。この場合、提供部１０３は、図９に示すように、ショップｃが販売する商品Ａの販売ページ５００に対比情報５２０を埋め込み、販売ページ５００をショッパーＸのショッパー端末２００に送信する。
【００６０】
ここで、対比情報において、ショッパーが閲覧しようとする販売ページを作成したショップが販売する商品の販売価格を強調する。
【００６１】
例えば、ショッパーＸが閲覧する販売ページ５００は、ショップｃにより作成されたものであるので、ショップｃが販売している商品Ａの販売価格“４９８０円”が含まれる階級５０５を強調表示する。
【００６２】
本実施形態によれば、ショッパーが閲覧する商品について、他のショッパーが過去に購入した際の購入価格の情報を提供することができるので、ショッパーは、商品の現実の相場を知ることができる。
【００６３】
競業事業者の販売価格を比較対照価格とする二重価格表示を行う場合、競争関係にある事業者の相当数の者が実際に販売している価格を正確に調査すること無く表示すると、不当表示に該当するおそれがある。しかしながら、本実施形態によれば、電子市場で同じ商品を実際に販売する多数のショップの販売価格を表示するので、適法な二重価格表示を行うことができる。
【００６４】
また、対比情報において、現在の販売価格の分布及び過去の購入価格の分布をヒストグラムで表すことにより、各価格の分布を容易に知ることができる。
【００６５】
また、対比情報において、販売ページを作成したショップの販売価格は強調されるので、閲覧している販売ページの商品の販売価格を、電子市場で販売されている同じ商品の相場と、容易に比較することができる。
【００６６】
なお、提供部１０３は、過去の購入価格の分布を、他のショッパーが購入した順にヒストグラムの度数を一つずつ増加させて表してもよい。
【００６７】
例えば、図８の購入価格のヒストグラムを対比情報として表示する際に、ヒストグラムの度数を時系列に沿って一つずつ増加させて、アニメーション表示する様子を、図１０に示す。
【００６８】
図１０のアニメーション表示は、まず、ヒストグラムの全ての階級の度数が０の状態でスタートし（左側一段目）、矢印の方向に、度数が一つずつ増えていく様子を示している。
【００６９】
ここで、購入価格の分布において、他の購入価格より著しく低い購入価格が示される場合がある。商品を販売する際に、不当に商品を低い価格で供給し、他の事業者の事業活動を困難にさせるおそれがある場合は、不当廉売として、その行為が禁止される。例えば、図１０の右側一段目のヒストグラムにおける階級５０６は、最も低い階級であり、商品Ａの最安値であるかのように見える。しかしながら、他の階級の度数が徐々に増えていき、階級５０６の度数が増えず、かつ、購入価格の履歴の大多数の価格帯から大きく離れていれば、階級５０６の購入価格は不当廉売された可能性のある価格であると判断することができる。
【００７０】
このような構成により、購入価格をアニメーション表示にすることにより、購入価格の推移を知ることができ、過去に不当廉売をするショップがあったとしても、一時的な事象であることをショッパーに知らせることができる。
【００７１】
また、取得部１０２は、要求に指定された商品を他のショッパーが過去に購入した購入日時をさらに取得し、提供部１０３は、端末装置が対比情報を表示する際に、購入日時の範囲を設定することにより、過去の購入価格の分布に含める購入価格を選択可能な対比情報を販売ページに埋め込むようにしてもよい。
【００７２】
例えば、受付部１０１がショッパーＸから商品Ａが指定された要求を受け付けると、取得部１０２は、図５の購入履歴テーブル７０１ａを参照して、ショッパーＸ以外のショッパーが商品Ａを購入したときの購入金額と共に購入日時を取得する。
【００７３】
そして、提供部１０３は、設定された購入日時の範囲の設定を受け付け、設定された購入日時の範囲に含まれる購入価格がヒストグラムのサンプルとして選択されるよう動作する対比情報を販売ページ５００に埋め込む。ショッパー端末２００において、販売ページ５００が表示され、所定の操作をすると、図１１に示すように、購入日時の範囲を設定するためのダイアログ５３０が表示される。このダイアログに希望する購入日時の範囲を入力し購入日時の範囲が設定されると、図１２に示すように、設定された購入日時の範囲に含まれる購入価格がサンプルとして含まれるヒストグラムが表示される。
【００７４】
このような構成により、ショッパーは、商品について最近の相場や、過去のある時期における相場等、商品の購入価格について時期を限定した相場を知ることができる。
【００７５】
（４．実施形態のサーバ装置の動作）
本実施形態のサーバ装置１００が行う制御処理について説明する。例えば、サーバ装置１００がショッパーから商品が指定された要求を受け付けると、図１３に示す処理を開始する。
【００７６】
取得部１０２は、要求に指定された商品を他のショッパーが過去に購入した購入価格及び購入日時を取得する（ステップＳ１０１）。
【００７７】
例えば、サーバ装置１００が、ショッパーＸから商品Ａが指定された要求を受け付けたとすると、取得部１０２は、購入履歴ＤＢ  ７０１を参照して、ショッパーＸ以外のショッパーにより購入された商品Ａの購入価格と購入日時を取得する。
【００７８】
提供部１０３は、取得された過去の購入価格の分布を示すヒストグラムを生成する（ステップＳ１０２）。
【００７９】
例えば、取得部１０２が取得したショッパーＸ以外のショッパーによる商品Ａの購入価格に基づいて、横軸を購入価格、縦軸を度数とするヒストグラム（図８）を生成する。
【００８０】
提供部１０３は、複数のショップのそれぞれが設定している現在の販売価格の分布を示すヒストグラムを生成する（ステップＳ１０３）。
【００８１】
例えば、提供部１０３は、販売価格ＤＢ  ７０２を参照して、商品Ａの現在の販売価格を取得し、横軸を販売価格、縦軸を度数とするヒストグラム（図７）を生成する。
【００８２】
提供部１０３は、現在の販売価格の分布を示すヒストグラムと過去の購入価格の分布を示すヒストグラムとを対比情報とし、当該対比情報を埋め込んだ販売ページを端末装置に送信する（ステップＳ１０４）。
【００８３】
例えば、提供部１０３は、現在の販売価格の分布を示すヒストグラム（図７）と、過去の購入価格の分布を示すヒストグラム（図８）とを対比情報５２０として埋め込んだ販売ページ５００をショッパーＸのショッパー端末２００に送信する。
【００８４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００８５】
１００  サーバ装置
１０１  受付部
１０２  取得部
１０３  提供部
２００、２０１、２０２〜２０ｍ  ショッパー端末
３００、３０１、３０２〜３０ｎ  ショップ端末
４００  インターネット
５００  販売ページ
５１０  検索結果
５２０  対比情報
５３０  ダイアログ
５０１、５０２、５０３、５０４  項目
５０５、５０６  階級
６００  情報処理装置
６０１  ＣＰＵ
６０２  ＲＯＭ
６０３  ＲＡＭ
６０４  記憶装置
６０５  ＮＩＣ
６０６  画像処理部
６０７  音声処理部
６０８  ディスプレイ
６０９  スピーカ
６１０  コントローラ
７０１  購入履歴ＤＢ
７０２  販売価格ＤＢ
【要約】
複数のショップのそれぞれが設定した販売価格で、同じ商品を販売可能な電子市場を管理するサーバ装置（１００）は、受付部（１０１）と、取得部（１０２）と、提供部（１０３）と、を備える。受付部（１０１）は、商品を指定する要求をショッパーから受け付ける。取得部（１０２）は、要求に指定された商品を他のショッパーが過去に購入した購入価格を取得する。提供部（１０３）は、取得された過去の購入価格の分布と、複数のショップのそれぞれが設定している現在の販売価格の分布と、を対比して表す対比情報を指定する応答を提供する。【図１】
0005969158.tif 000002
【図２】
0005969158.tif 000003
【図３】
0005969158.tif 000004
【図４】
0005969158.tif 000005
【図５】
0005969158.tif 000006
【図６】
0005969158.tif 000007
【図７】
0005969158.tif 000008
【図８】
0005969158.tif 000009
【図９】
0005969158.tif 000010
【図１０】
0005969158.tif 000011
【図１１】
0005969158.tif 000012
【図１２】
0005969158.tif 000013
【図１３】
0005969158.tif 000014